(57)【要約】【課題】長さ、形状等が異なる種々の切り花等を収容するのに適した容器を提供することである。【解決手段】容器本体１０と容器本体１０の側壁部１２の上端部１２ａに着脱自在に取付け可能な上枠体２０を備える。上端部１２ａが容器本体１０の上面開口部の縁である。上枠体２０は上面開口部および下面開口部２３を備える。下面開口部２３を容器本体１０の上面開口部から容器本体１０内に差し込んだ状態で、上枠体２０の側壁部２２を容器本体１０の側壁部１２の上端部１２ａに着脱自在に結合可能である。さらに、上枠体２０の上面開口部を下側にし、下面開口部２３を上側にして、容器本体１０の上面開口部を上枠体２０の上面開口部から上枠体２０の中に差し込んだ状態で、上枠体２０の内面側に設けられた係止片が容器本体１０の側壁部１２の上端部１２ａの溝に着脱自在に係止可能である。【選択図】　　　　図４
2004067168.tif 000002
【特許請求の範囲】
【請求項１】
容器本体とこの容器本体の側壁部の上端部に着脱自在に取付け可能な上枠体を備えた容器であって、
前記容器本体の側壁部の上端部が前記容器本体の開口部の縁であり、
前記上枠体が上面開口部および下面開口部を備え、
前記上枠体の下面開口部を前記容器本体の開口部から前記容器本体内に差し込んだ状態で、前記上枠体の側壁部を前記容器本体の側壁部の上端部に着脱自在に結合可能であるとともに、
前記上枠体の内面側に係止部が設けられ、
前記上面開口部を下側にし、前記下面開口部を上側にして、前記容器本体の開口部を前記上面開口部から前記上枠体の中に差し込んだ状態にて、前記上枠体の内面側に設けられた係止部が前記容器本体の側壁部の上端部に着脱自在に係止可能であることを特徴とする容器。
【請求項２】
請求項１に記載された容器であって、
前記上枠体の係止部が複数の係止片であり、前記容器本体の側壁部の上端部に複数の溝が形成され、
前記複数の係止片の各々が前記容器本体の側壁部の上端部に形成された複数の溝の各々に着脱自在に係止可能であることを特徴とする容器。
【請求項３】
請求項１または請求項２に記載された容器であって、
前記上枠体の下面開口部を前記容器本体の開口部から前記容器本体内に差し込んだ状態で、前記上枠体の側壁部を前記容器本体の側壁部の上端部に着脱自在に結合した場合における、前記容器本体の側壁部の上端部から前記上枠体の上面開口部までの高さと、前記上面開口部を下側にし、前記下面開口部を上側にして、前記容器本体の開口部を前記上面開口部から前記上枠体の中に差し込んだ状態にて、前記上枠体の内面側に設けられた係止部が前記容器本体の側壁部の上端部に着脱自在に係止した場合における、前記容器本体の側壁部の上端部から前記上枠体の下面開口部までの高さとをほぼ等しくしたことを特徴とする容器。
【請求項４】
請求項３に記載された容器であって、
前記上枠体にて前記上面開口部が前記下面開口部よりも広く形成されていることを特徴とする容器。
【発明の詳細な説明】
【０００１】
【発明の属する技術分野】
本発明は、例えば切り花等の容器に関し、特に種々の形状等の切り花等を収容するのに適した容器に関するものである。
【０００２】
【従来の技術】
従来、切り花等を輸送する場合に、切り花等を入れる容器が用いられている。この容器は、ほとんどの場合バケツ状のものである（例えば特許文献１参照）。このバケツ状の容器の底に水（栄養剤を含む。）を入れた状態で、切り花等の束をこの容器に入れて輸送することになる。
【０００３】
【特許文献１】
特開平７−２２３６９２号公報（第２−３頁、第６―７図）
【０００４】
【発明が解決しようとする課題】
しかし、上記従来のバケツ状の容器では、種々の形状、長さの切り花等を収容するのに不便であった。即ち、比較的短い切り花等の長さに合わせたバケツ状の容器は、比較的長い切り花等を収容するのに不適当であり、逆に比較的長い切り花等の長さに合わせたバケツ状の容器は、比較的短い切り花等を収容するのに不適当であった。また、花や葉の部分が茎の部分より著しく大きな切り花を収容するのには、開口部が広がっているバケツ状の容器を使用する必要があり、そのような開口部が広がっているバケツ状の容器は、花や葉の部分が茎の部分とほぼ同じ大きさの切り花を収容するの適していないなどという問題があった。
そこで、本発明の目的は、長さ、形状等が異なる種々の切り花等を収容するのに適した容器を提供することである。
【０００５】
【課題を解決するための手段】
上記課題を解決するため、請求項１に記載された発明は、容器本体とこの容器本体の側壁部の上端部に着脱自在に取付け可能な上枠体を備えた容器であって、前記容器本体の側壁部の上端部が前記容器本体の開口部の縁であり、前記上枠体が上面開口部および下面開口部を備え、前記上枠体の下面開口部を前記容器本体の開口部から前記容器本体内に差し込んだ状態で、前記上枠体の側壁部を前記容器本体の側壁部の上端部に着脱自在に結合可能であるとともに、前記上枠体の内面側に係止部が設けられ、前記上面開口部を下側にし、前記下面開口部を上側にして、前記容器本体の開口部を前記上面開口部から前記上枠体の中に差し込んだ状態にて、前記上枠体の内面側に設けられた係止部が前記容器本体の側壁部の上端部に着脱自在に係止可能であることを特徴とする容器である。
これにより、容器本体を単独で使用できるとともに、前記上枠体の下面開口部を前記容器本体の開口部から前記容器本体内に差し込んだ状態で、前記上枠体の側壁部を前記容器本体の側壁部の上端部に着脱自在に結合して、前記容器本体に上枠体を継ぎ足した状態の容器を使用でき、さらに、前記上面開口部を下側にし、前記下面開口部を上側にして、前記容器本体の開口部を前記上面開口部から前記上枠体の中に差し込んだ状態にて、前記上枠体の内面側に設けられた係止部が前記容器本体の側壁部の上端部に着脱自在に係止した状態の上枠体と容器本体を使用することもできる。
【０００６】
さらに、請求項２に記載された発明は、上記請求項１に記載された発明において、前記上枠体の係止部が複数の係止片であり、前記容器本体の側壁部の上端部に複数の溝が形成され、前記複数の係止片の各々が前記容器本体の側壁部の上端部に形成された複数の溝の各々に着脱自在に係止可能であることである。
これにより、上枠体の複数の係止片の各々を容器本体の複数の溝の各々に着脱自在に係止することによって、容易に上枠体を容器本体に着脱自在に取り付けることができる。
【０００７】
さらに、請求項３に記載された発明は、請求項１または請求項２に記載された発明において、前記上枠体の下面開口部を前記容器本体の開口部から前記容器本体内に差し込んだ状態で、前記上枠体の側壁部を前記容器本体の側壁部の上端部に着脱自在に結合した場合（以下第１の結合状態とする。）における、前記容器本体の側壁部の上端部から前記上枠体の上面開口部までの高さと、前記上面開口部を下側にし、前記下面開口部を上側にして、前記容器本体の開口部を前記上面開口部から前記上枠体の中に差し込んだ状態にて、前記上枠体の内面側に設けられた係止部が前記容器本体の側壁部の上端部に着脱自在に係止した場合（以下第２の結合状態とする。）における、前記容器本体の側壁部の上端部から前記上枠体の下面開口部までの高さとをほぼ等しくしたことである。
これにより、前記第１の結合状態および前記第２の結合状態における前記容器本体と前記上枠体を組み合わせた容器の上下方向の長さをほぼ等しくすることができる。
【０００８】
さらに、請求項４に記載された発明は、上記請求項３に記載された発明において、前記上枠体にて前記上面開口部が前記下面開口部よりも広く形成されていることである。
これにより、前記容器本体と前記上枠体を組み合わせた容器の開口部が、前記第１の結合状態では前記上面開口部となり、前記第２の結合状態では前記下面開口部となるので、前記容器本体と前記上枠体を組み合わせた容器の開口部が、前記第１の結合状態において前記第２の結合状態よりも広くなる。
【０００９】
【発明の実施の形態】
以下、本発明における実施の形態を図面に基づいて説明する。図１は、本発明の実施の形態に係わる容器の容器本体を示す。図１において、容器本体１０は、上面開口部１１、側壁部１２、底部１３および外枠部１４を備えている。側壁部１２は容器本体１０の側壁であり、側壁部１２の上端部１２ａは、上面開口部１１の縁を構成し、底部１３は容器本体１０の底である。外枠部１４は、側壁部１２の外側を取り巻くように形成され、外枠部１４の上端部と側壁部１２の上端部１２ａとは一体に形成されている。外枠部１４は容器本体１０の安定性を向上させている。
【００１０】
側壁部１２の上端部１２ａには、多数の孔１２ｂおよび溝１２ｃ、１２ｄが形成されている。孔１２ｂは、上端部１２ａの帯状上面に散在するように形成されている。溝１２ｃ、１２ｄは、一対の溝であり、上端部１２ａの四隅（容器本体１０の四隅に相当する。）に形成されている。
外枠部１４の各面には、各開口部１４ａ、１４ｂ、１４ｃ、１４ｄが形成されている。各開口部１４ａ〜１４ｄを形成することにより、外枠部１４の材料を節約でき、外枠部１４を軽くすることができる。
二点鎖線で示すように、切り花３１を容器本体１０の上面開口部１１から容器本体１０内に差し込むことができる。
【００１１】
図２は、上枠体２０を示している。上枠体２０は、上面開口部２１、側壁部２２および下面開口部２３を備えている。側壁部２２の上端部２２ｘは上面開口部２１の縁を構成し、側壁部２２の下端部２２ｙは下面開口部２３の縁を構成する。なお、上面開口部２１は、下面開口部２３より広く形成されている。側壁部２２の各面には、開口部２２ａ、２２ｂ、２２ｃ、２２ｄが形成されている。開口部２２ａ〜２２ｄを形成することにより、上枠体２０の材料を節約することができるとともに、上枠体２０を軽くすることができる。
側壁部２２の上端部２２ｘと下端部２２ｙとの中間には、段差部２２ｆ（図４参照）が形成されている。多数の突起２２ｇ（図４参照）が段差部２２ｆの下面（外面）に形成されている。
【００１２】
一対の係止片２２ｉ、２２ｊが側壁部２２の内面の四隅（図１の容器本体１０の側壁部１２の上端部１２ａの四隅に対応している。）に形成されている。各係止片２２ｉ、２２ｊは、それぞれ台部２２ｍ、２２ｎに立設されている。なお、係止片２２ｉ、２２ｊおよび台部２２ｍ、２２ｎは側壁部２２に一体に成形されている。
【００１３】
図３は、上枠体２０を容器本体１０の上に組み合わせた状態を示している。図３において、側壁部２２のうち段差部２２ｆより下側の部分および下面開口部２３は容器本体１０の上面開口部１１（図１参照）から容器本体１０内に差し込まれている。段差部２２ｆは容器本体１０の側壁部１２の上端部１２ａ（図１参照）で支えられ、多数の突起２２ｇ（図４参照）は、容器本体１０の側壁部１２の上端部１２ａの各孔１２ｂ（図１参照）に着脱自在に嵌合している。
【００１４】
二点鎖線で示すように、切り花３２を上枠体２０の上面開口部２１から上枠体２０および上枠体２０と着脱自在に結合された容器本体１０の中に差し込むことができる。この場合の切り花３２は、上記図１の場合の容器本体１０に収容された切り花３１より長いものである。また、上枠体２０の上面開口部２１は、下面開口部２３よりも広く形成されているので、切り花３２は、茎の部分よりも花や葉の部分が広がったものとすることができる。
【００１５】
図４は、上下逆にした上枠体２０を容器本体１０に組み合わせた状態を示している。図４において、上枠体２０は、その側壁部２２が容器本体１０の外枠部１４を被うように配置されている。すなわち、上枠体２０の上面開口部２１（図２参照）を下側にし、下面開口部２３を上側にして、容器本体１０の上面開口部１１（図１参照）を上枠体２０の上面開口部２１から上枠体２０の中に差し込んでいる。この場合、上枠体２０の下面開口部２３が容器本体１０と上枠体２０とを組み合わせた容器の開口部となる。
【００１６】
図５は、図２の上枠体２０の係止片２２ｉ、２２ｊを拡大して示している。図５において、上枠体２０の上下が逆になっているので、係止片２２ｉ、２２ｊは下向きになっている。
図６は、図５の上枠体２０の係止片２２ｉ、２２ｊを容器本体１０の溝１２ｃ、１２ｄに着脱自在に係止した（差し込んだ）状態を拡大して示している。
上記図４の状態においては、上枠体２０の側壁部２２の内面の四隅の係止片２２ｉ、２２ｊが容器本体１０の側壁部１２（図１参照）の上端部１２ａの四隅の溝１２ｃ、１２ｄに係止している。
【００１７】
図４においては、容器本体１０の側壁部１２の上端部１２ａから上枠体２０の下面開口部２３までの高さが、図３における容器本体１０の側壁部１２の上端部１２ａ（図１参照）から上枠体２０の上面開口部２１までの高さとほぼ等しくなっている。このため、図３の場合と図４の場合にて、容器本体１０と上枠体２０を組み合わせたものの高さをほぼ等しくしつつ、図３の開口部は、上枠体２０の上面開口部２１であり、図４の開口部は、上枠体２０の下面開口部２３であるので、上面開口部２１と下面開口部２３の広さを異ならせることにより、容器本体１０と上枠体２０を組み合わせたものの開口部の広さを変えることができる。例えば、上面開口部２１を下面開口部２３よりも広く形成することができる。
【００１８】
二点鎖線で示すように、切り花３３を上枠体２０の下面開口部２３から上枠体２０および上枠体２０と着脱自在に結合された容器本体１０の中に差し込むことができる。この場合、切り花３３は、上記図１の場合の切り花３１より長いものとすることができる。また、上枠体２０の下面開口部２３が上面開口部２１（図２参照）より狭く形成されている場合には、切り花３３は、上記図３の場合の切り花３２と異なり、茎の部分と花や葉の部分とが同じような大きなのものとすることができる。
【００１９】
以上により、図１に示すように容器本体１０を単独で使用することができるとともに、図３および図４で示すように容器本体１０と上枠体２０を組み合わせた状態で使用することができる。
【００２０】
なお、上記実施の形態においては、容器本体および上枠体の上面および下面は、ほぼ長方形になっているが、これに限定されない、例えば、容器本体および上枠体の上面および下面をほぼ正方形、円形等にすることができる。
【００２１】
【発明の効果】
請求項１に記載された発明によれば、容器本体を単独で使用できるとともに、容器本体と上枠体とを組み合わせて容器本体より深さの深い容器を形成することができる。このため、請求項１に記載された発明に係わる容器は、長さ、形状等の異なる種々の切り花等を収容するのに適したものになる。
【００２２】
さらに、請求項２に記載された発明によれば、上記請求項１に記載された発明の効果とともに、上枠体を容器本体に係止することが容易になる。
【００２３】
さらに、請求項３に記載された発明によれば、上記請求項１または請求項２に記載された発明の効果とともに、前記第１の結合状態および第２の結合状態において（段落０００７参照）、容器本体と上枠体とを組み合わせた状態の上下方向の長さをほぼ等しくしつつ、切り花等を差し込む開口部の広さを変えることができる。このため、請求項３に記載された発明に係わる容器は、長さ、形状等の異なる種々の切り花等を収容することが一層容易になる。
【００２４】
さらに、請求項４に記載された発明によれば、上記請求項３に記載された発明において、容器の切り花等を差し込む開口部を前記第２の結合状態より前記第１の結合状態において広くすることができる。このため、前記第１の結合状態においては、茎の部分より花や葉が広がった切り花等を収容するのに適した容器となり、前記第２の結合状態においては、茎の部分と花や葉が同じ程度の太さの切り花等を収容するのに適した容器となる。
【図面の簡単な説明】
【図１】本発明の実施の形態に係わる容器の容器本体を示す斜視図である。
【図２】本発明の実施の形態に係わる容器の上枠体を示す斜視図である。
【図３】図１の容器本体に上枠体を組み合わせた状態を示す斜視図である。
【図４】図１の容器本体に上下逆にした上枠体を組み合わせた状態を示す斜視図である。
【図５】図２の上枠体の係止片を拡大して示す斜視図である。
【図６】上枠体の係止片を容器本体の溝に係止した状態を拡大して示す斜視図である。
【符号の説明】
１０　容器本体
１１　上面開口部
１２　側壁部
１２ｃ、１２ｄ　側壁部の上端部の溝
１３　底部
１４　外枠部
２０　上枠体
２１　上面開口部
２２　側壁部
２２ｉ、２２ｊ　係止片
２３　下面開口部
【図１】
2004067168.tif 000003
【図２】
2004067168.tif 000004
【図３】
2004067168.tif 000005
【図４】
2004067168.tif 000006
【図５】
2004067168.tif 000007
【図６】
2004067168.tif 000008